(57)【特許請求の範囲】
【請求項１】
可燃ガスと空気との混合ガスが放出される開放端を有する混合管と、
前記混合管に対して気密に接続され、前記混合管から放出される前記混合ガスが噴出する少なくとも一つの開口を表面に有するバーナーヘッドと、
前記バーナーヘッドから放出される前記混合ガスに着火するイグナイターと、からなる携帯用ガスコンロのバーナー構造において、
前記可燃ガスが内部を流れる中空の管からなるジェネレータが前記バーナーヘッドの外側に前記バーナーヘッドに近接して配置されており、
前記ジェネレータは逆Ｕ字型をなしており、前記ジェネレータの正面からみたときに、前記イグナイターは前記ジェネレータの中に包含されるように配置されており、
前記イグナイターは、前記ジェネレータとの間において火花を発生させ、前記バーナーヘッドの前記開口から放出される混合ガスの流れに対して直交する方向において火花を発生させるものであることを特徴とする携帯用ガスコンロのバーナー構造。
【発明の詳細な説明】
【０００１】
【発明の属する技術分野】
本発明はいわゆるアウトドア用の携帯用ガスコンロに関し、より詳細には、携帯用ガスコンロのバーナー構造に関する。
【０００２】
【従来の技術】
図７に携帯用ガスコンロの一例を示す。
【０００３】
一般に、携帯用ガスコンロ１０は、可燃ガスが圧縮して詰められているガスカートリッジ１１と、このガスカートリッジ１１に着脱自在に取り付けられるガス燃焼器１２とからなる。ガスカートリッジ１１とガス燃焼器１２とはガスケット１３を介してシールした状態の下に取り付けられている。
【０００４】
ガス燃焼器１２は、ガスカートリッジ１１に連結され、ガスカートリッジ１１から供給される可燃ガスが通過する器具栓１４と、器具栓１４の内部に形成されているガス通過口の開口度を調節することにより器具栓１４の内部を通る可燃ガスの流量を調整するガス流量調整スピンドル１５と、表面に複数の開口部１６ａが形成されているバーナーヘッド１６と、器具栓１４とバーナーヘッド１６とを連結する混合管１７と、混合管１７に固着され、バーナーヘッド１６の上方に延びている複数個の五徳１８と、バーナーヘッド１６の外側表面に近接するように、支持台１９ａ上に設けられている電気式イグナイター１９と、からなる。
【０００５】
可燃ガスは加圧された状態でガスカートリッジ１１に装填されている。このため、ガス流量調整スピンドル１５によって器具栓１４の内部のガス通過口を開けると、加圧状態にある可燃ガスはガスカートリッジ１１から器具栓１４を介して混合管１７に進入する。このように、可燃ガスは、ガス流量調整スピンドル１５によって、ガス流量が調整された状態で混合管１７に進入する。
【０００６】
混合管１７には、複数の開口１７ａ（図７には一つのみ図示してある）が形成されており、可燃ガスが混合管１７の内部を通過する際に生じる負圧によって、開口１７ａから外部の空気が混合管１７の内部に吸引される。可燃ガスは開口１７ａから取り込まれた空気と混合し、可燃ガスと空気との混合ガスになる。
【０００７】
この混合ガスはバーナーヘッド１６の内部に進入した後、開口部１６ａから噴出し、バーナーヘッド１６に近接して配置された電気式イグナイター１９により着火される。
【０００８】
着火され、燃焼状態にある混合ガスは炎となって、五徳１８の上に載せられた被加熱物（なべ、やかん、食料品など）を加熱する。
【０００９】
【発明が解決しようとする課題】
一般に、アウトドア用製品は、携帯用ガスコンロに限らず、小型であることが望まれている。携帯用ガスコンロに関して言えば、ガスカートリッジ１１は、実用上不便でない程度の長さのガス燃焼時間を確保するため、一定量のガスを充填していなければならず、小型化には限界がある。このため、携帯用ガスコンロの小型化は、専らガス燃焼器１２、その中でも特に、バーナーヘッド１６の小型化を図ることにより、進められている。
【００１０】
しかしながら、バーナーヘッド１６を小型化すると、ガスカートリッジ１１からのガス流量に対するバーナーヘッド１６の容積が相対的に小さくなるため、それに応じて、バーナーヘッド１６の開口部１６ａから噴出する混合ガスのガス速度が大きくなる。
【００１１】
このように混合ガスのガス速度が大きくなると、イグナイター１９から発せられる火花によっても、混合ガスがなかなか着火せず、混合ガスの不完全燃焼の原因となることがあった。
【００１２】
本発明は、このような従来の携帯用ガスコンロのバーナー構造における問題点に鑑みてなされたものであり、バーナーヘッドから噴出する混合ガスの着火を容易に行うことができる携帯用ガスコンロのバーナー構造を提供することを目的とする。
【００１３】
【課題を解決するための手段】
この目的を達成するため、本発明のうち、請求項１は、可燃ガスと空気との混合ガスが放出される開放端を有する混合管と、前記混合管に対して気密に接続され、前記混合管から放出される前記混合ガスが噴出する少なくとも一つの開口を表面に有するバーナーヘッドと、前記バーナーヘッドから放出される前記混合ガスに着火するイグナイターと、からなる携帯用ガスコンロのバーナー構造において、前記可燃ガスが内部を流れる中空の管からなるジェネレータが前記バーナーヘッドの外側に前記バーナーヘッドに近接して配置されており、前記ジェネレータは逆Ｕ字型をなしており、前記ジェネレータの正面からみたときに、前記イグナイターは前記ジェネレータの中に包含されるように配置されており、前記イグナイターは、前記ジェネレータとの間において火花を発生させ、前記バーナーヘッドの前記開口から放出される混合ガスの流れに対して直交する方向において火花を発生させるものであることを特徴とする携帯用ガスコンロのバーナー構造を提供する。
【００１４】
図７に示すように、従来のバーナー構造においては、イグナイター１９はバーナーヘッド１６に向かって配置されているため、イグナイター１９は、バーナーヘッド１６の開口部１６ａから噴出する混合ガスの流れに対して、ほぼ平行に火花を発していた。このため、火花と混合ガスの流れとの接触面積は比較的小さかった。このことに起因して、混合ガスの流れの速度が大きいときには、イグナイター１９から発せられる火花によって混合ガスを着火させることが比較的困難であった。
【００１５】
これに対して、請求項１に係るバーナー構造においては、例えば、イグナイターはバーナーヘッドの開口から放出される混合ガスの流れに対して直交するように配置される。このため、イグナイターから発せられる火花も混合ガスの流れに対して直角に飛ぶことになるため、図７に示した従来のバーナー構造における火花と混合ガスの流れとの接触面積と比較して、火花と混合ガスの流れとの接触面積は大きくなる。
【００１６】
従って、本請求項に係るバーナー構造によれば、混合ガスの流れの速度が大きくなっても、安定的に混合ガスを着火させることが可能である。
【００１８】
本請求項に係るバーナー構造においては、ジェネレータが付加されている。ガスカートリッジから供給される可燃ガスはこのジェネレータの内部を通った後、混合管を通過し、混合管を通過する最中に空気と混合して混合ガスとなる。ジェネレータはバーナーヘッドに近接して配置されているため、ジェネレータはバーナーヘッドから噴出する燃焼状態の混合ガスにより加熱される。従って、ジェネレータの内部を通る混合ガスも加熱され、高温の混合ガスとなって、バーナーヘッドから放出される。
【００１９】
可燃ガスと空気との混合ガスは高温であるほど着火しやすい。このため、ジェネレータの内部を通ることによって高温になっている混合ガスはイグナイターから発生される火花により、容易に着火する。
【００２０】
このように、混合ガスがジェネレータの内部を通ることによって高温になり、さらに、着火しやすくなるという効果を得ることができる。
【００２１】
イグナイターはジェネレータとの間において火花を発生させるものであることが好ましい。
【００２２】
このように、バーナーヘッド、ジェネレータ、イグナイターの順に配置することにより、最も小さいスペースでこれら３個の要素を配置することができ、バーナー構造の小型化を促進することができる。
【００２３】
ジェネレータは逆Ｕ字型をなしており、ジェネレータの正面からみたときに、イグナイターはジェネレータの中に包含されるように配置されていることが好ましい。
このように、イグナイターをジェネレータの中に配置することにより、ジェネレータが風防の役割を果たし、バーナーヘッドの開口から放出される混合ガスの流れを安定化させるので、混合ガスをより容易に着火させることができる。        
【００２４】
このように、イグナイターをジェネレータの中に配置することにより、ジェネレータが風防の役割を果たし、バーナーヘッドの開口から放出される混合ガスの流れを安定化させるので、混合ガスをより容易に着火させることができる。
【００２５】
【発明の実施の形態】
図１及び図２に本発明に係るバーナー構造を備えたガスコンロの一実施形態を示す。図１は本実施形態に係るガスコンロの正面図であり、図２は本実施形態に係るガスコンロを上方から見たときの平面図である。
【００２６】
図１及び図２に示すように、本実施形態に係るガスコンロは、可燃ガスが圧縮して装填されているガスカートリッジ２０（図２参照）と、ガスカートリッジ２０から可燃ガスの供給を受けて、可燃ガスを燃焼させるガスコンロ本体２１と、ガスカートリッジ２０から供給される可燃ガスの流量を調整する器具栓２２と、可燃ガスをガスカートリッジ２０から器具栓２２を介してガスコンロ本体２１に供給するためのガスチューブ２３と、からなっている。  ガスコンロ本体２１は、ガスチューブ２３が接続されているジョイントブロック２４と、表面に複数個の開口部２５ａが形成されているバーナーヘッド２５と、バーナーヘッド２５の周囲を囲む皿状の風防２５ｂと、ジョイントブロック２４とバーナーヘッド２５とを連結する混合管２６と、混合管２６に取り付けられている３個の五徳２７（図２参照）と、バーナーヘッド２５の開口部２５ａから噴出される可燃ガスと空気との混合ガスに着火するイグナイター２８と、からなっている。
【００２７】
各五徳２７は、その一端において、混合管２６の周囲に巻き付けられるようにして混合管２６に取り付けられており、図２の矢印Ａに示す方向において回動し得るように構成されている。
【００２８】
イグナイター２８の構造を図３に示す。図３（ａ）はイグナイター２８を上方から見たときの上面図、図３（ｂ）はイグナイター２８を正面から見たときの正面図、図３（ｃ）はイグナイター２８を側面から見たときの側面図である。
【００２９】
イグナイター２８は、ほぼ四角柱の形状をなしているベースブロック２８ａと、ベースブロック２８ａから上方に延びる円柱形状のピラー２８ｂと、ピラー２８ｂの上端からさらに上方に延び、火花を発するイグニッション部２８ｃと、ベースブロック２８ａに対して押すことにより、イグナイター２８を作動させるスイッチ２８ｄと、からなっている。
【００３０】
イグナイター２８は、図４に示すイグナイターカバー２９の内部に取り付けられる。図４（ａ）はイグナイターカバー２９を上方から見たときの上面図であり、図４（ｂ）はイグナイターカバー２９の正面図である。
【００３１】
イグナイターカバー２９は、第一カバー部分２９ａと、第二カバー部分２９ｂとからなる。
【００３２】
第一カバー部分２９ａは底部が開口しており、この第一カバー部分２９ａの中にイグナイター２８のベースブロック２８ａが収納される。
【００３３】
図４（ａ）に示すように、第一カバー部分２９ａには、その上面において、突出部２９ｃが形成されており、この突出部２９ｃには円形の孔２９ｄが形成されている。イグナイターカバー２９は、孔２９ｄを混合管２６にはめ込むことによって、混合管２６に対して固定される。
【００３４】
また、イグナイター２８のスイッチ２８ｄが収納される側の第一カバー部分２９ａの端部の上面には斜め外側上方に傾斜している傾斜部分２９ｅが形成されており、スイッチ２８ｄを押しやすいようになっている。
【００３５】
第二カバー部分２９ｂの内部にはイグナイター２８のピラー２８ｂが収納される。第二カバー部分２９ｂの断面は一面が開口している長方形状をなしており、第二カバー部分２９ｂの上方には、内側に折れ曲がっているフック部２９ｆが形成されている。
【００３６】
また、第二カバー部分２９ｂには、イグナイター２８の熱を逃がすための長円状の孔２９ｇが上下方向に並んで形成されている。
【００３７】
イグナイターカバー２９は、例えば、第一カバー部分２９ａと第二カバー部分２９ｂとを別個に製作しておき、その後に、両者を、例えば、溶接することにより、作り上げることができる。
【００３８】
図５にイグナイター２８をその上端において支持するイグナイター支持部材３０の平面図を示す。
【００３９】
このイグナイター支持部材３０は、リング状部材３０ａと、リング状部材３０ａから外側に突出している長方形状の突出部材３０ｂと、からなっている。
【００４０】
リング状部材３０ａの内径はバーナーヘッド２５の直下において混合管２６にはめ込むことができる大きさに設定されている。
【００４１】
突出部材３０ｂの大きさはイグナイターカバー２９の第二カバー部分２９ｂの長方形断面と同一の大きさに設定されている。従って、突出部材３０ｂは第二カバー部分２９ｂにはめ込むことができるようになっている。
【００４２】
突出部材３０ｂの中央には円形の開口３０ｃが形成されている。この円形開口３０ｃの直径はイグナイター２８のピラー２８ｂの外径に等しい。従って、イグナイター２８のピラー２８ｂは突出部材３０ｂの円形開口３０ｃの中にはめ込むことができるようになっている。  イグナイター２８をイグナイターカバー２９の内部に収納するときは、先ず、図５に示したイグナイター支持部材３０のリング状部材３０ａを混合管２６に、長方形状の突出部材３０ｂをイグナイターカバー２９の第二カバー部分２９ｂに、フック部２９ｆのある位置において、それぞれはめ込んでおく。次いで、イグナイターカバー２９の下方からイグナイター２８を差し込むようにしてイグナイターカバー２９の内部に挿入する。こうして、イグナイター２８のベースブロック２８ａは第一カバー部分２９ａの内部に、イグナイター２８のピラー２８ｂは第二カバー部分２９ｂの内部にそれぞれ収納される。
【００４３】
さらに、図２に示すように、イグナイター２８のピラー２８ｂをその上端付近においてイグナイター支持部材３０の円形開口３０ｃにはめ込む。
【００４４】
以上のようにして、イグナイター２８は、その下端付近においては、イグナイターカバー２９の第二カバー部分２９ｂの突出部２９ｃに形成された孔２９ｄが混合管２６に嵌合することにより、また、その上端付近においては、イグナイター支持部材３０の突出部材３０ｂに形成された開口３０ｃにイグナイター２８のピラー２８ｂが嵌合することにより、上下２カ所でガスコンロ本体２１ひいては混合管２６に対して固定される。
【００４５】
図６はジェネレータ３１の構造を示す。図６（ａ）はジェネレータ３１を上方から見たときの上面図であり、図６（ｂ）はジェネレータ３１の正面図であり、図６（ｃ）はジェネレータ３１の側面図である。
【００４６】
ジェネレータ３１はほぼ逆Ｕ字型に形成された中空の管からなっており、その自由端においてジョイントブロック２４に接続されている。
【００４７】
ガスカートリッジ２０から器具栓２２及びガスチューブ２３を経て送られてきた可燃ガスはジョイントブロック２４を経て、ジェネレータ３１の内部を通り、再びジョイントブロック２４に戻る。この後、ジョイントブロック２４から混合管２６に送られる。
【００４８】
図１及び図２に示すように、風防２５ｂの一部には切り欠き２５ｃが形成されており、この切り欠き２５ｃの内部において、ジェネレータ３１がバーナーヘッド２５に近接して配置されている。ジェネレータ３１は、その上端がバーナーヘッド２５の上端とほぼ同じになるように、もしくは、バーナーヘッド２５の上端よりもやや高くなるように、配置されている。
【００４９】
さらに、バーナーヘッド２５から見て、ジェネレータ３１のやや外側には、イグナイター２８が配置されている。イグナイター２８は、ジェネレータ３１の正面から見たときに、ジェネレータ３１の中に全て包含されるように配置されている。
【００５０】
なお、図１に示すように、バーナーヘッド２５には、開口部２５ａよりも開口面積が大きい炎口３２が形成されている。炎口３２の内側にはメッシュが張られている。イグナイター２８は、そのイグニッション部２８ｃが炎口３２に対向するように、配置されている。さらに、本実施形態においては、イグナイター２８のイグニッション部２８ｃは炎口３２に向かってやや傾斜するように構成されている。
【００５１】
本実施形態に係る携帯用ガスコンロは以下のようにして用いられる。
【００５２】
加圧状態にある可燃ガスはガスカートリッジ２０から器具栓２２を介してガス流量が調節された状態でガスチューブ２３を通ってジョイントブロック２４に送られる。次いで、可燃ガスはジョイントブロック２４からジェネレータ３１に送られる。
【００５３】
上述のように、ジェネレータ３１はバーナーヘッド２５に近接して配置されているため、ジェネレータ３１はバーナーヘッド２５から噴出する燃焼状態の混合ガスにより加熱される。従って、ジェネレータ３１の内部を通る混合ガスも加熱され、高温の混合ガスとなって、混合管２６に送られる。
【００５４】
混合管２６には、その表面に複数の開口２６ａが形成されており、可燃ガスが混合管２６の内部を通過する際に生じる負圧によって、開口２６ａから外部の空気が混合管２６の内部に吸引される。可燃ガスは、このようにして開口２６ａから取り込まれた空気と混合し、可燃ガスと空気との混合ガスになる。
【００５５】
この混合ガスはバーナーヘッド２５の内部に進入した後、開口部２５ａから噴出し、バーナーヘッド２５に近接して配置されているイグナイター２８により着火される。着火された混合ガスは燃焼状態になり、開口部２５ａからは炎が噴出する。
【００５６】
この炎によって、五徳２７の上に載せられた調理器具や食料品（図示せず）などが加熱される。
【００５７】
本実施形態においては、イグナイター２８のイグニッション部２８ｃはバーナーヘッド２５の開口部２５ａから放出される混合ガスの流れに対して直交するように配置されている。このため、イグナイター２８のイグニッション部２８ｃから発せられる火花も混合ガスの流れに対して直角に飛ぶことになる。
【００５８】
図７に示した従来のバーナー構造においては、火花は混合ガスの流れに対して平行に飛んでいたため、火花と混合ガスの流れとの接触面積は比較的小さかった。
【００５９】
これに対して、本実施形態によれば、火花は混合ガスの流れに対して直角に飛ぶため、火花と混合ガスの流れとの接触面積は大きくなる。従って、混合ガスの流れの速度が大きくなっても、安定的に混合ガスを着火させることが可能である。
【００６０】
また、可燃ガスと空気との混合ガスは高温であるほど着火しやすい。このため、ジェネレータ３１の内部を通ることによって高温になっている混合ガスはイグナイター２８から発生される火花により、容易に着火する。
【００６１】
【発明の効果】
以上のように、本発明に係る携帯用ガスコンロのバーナー構造によれば、イグナイターはバーナーヘッドの開口から放出される混合ガスの流れに対して直交するように配置される。このため、イグナイターから発せられる火花も混合ガスの流れに対して直角に飛ぶことになるため、従来のバーナー構造における火花と混合ガスの流れとの接触面積と比較して、火花と混合ガスの流れとの接触面積を大きくすることができる。従って、本発明に係るバーナー構造によれば、混合ガスの流れの速度が大きくなっても、安定的に混合ガスを着火させることが可能である。
【００６２】
また、ジェネレータはバーナーヘッドに近接して配置されているため、ジェネレータはバーナーヘッドから噴出する燃焼状態の混合ガスにより加熱される。従って、ジェネレータの内部を通る混合ガスも加熱され、高温の混合ガスとなって、バーナーヘッドから放出される。可燃ガスと空気との混合ガスは高温であるほど着火しやすいため、ジェネレータの内部を通ることによって高温になっている混合ガスはイグナイターから発生される火花により、容易に着火させることが可能である。
【図面の簡単な説明】
【図１】図１は本発明に係る携帯用ガスコンロのバーナー構造を備えたガスコンロの一実施形態の正面図である。
【図２】図２は図１に示したガスコンロを上方から見たときの上面図である。
【図３】図３（ａ）はイグナイターの上面図、図３（ｂ）はイグナイターの正面図、図３（ｃ）はイグナイターの側面図である。
【図４】図４（ａ）はイグナイターカバーの上面図、図４（ｂ）はイグナイターカバーの側面図である。
【図５】図５はイグナイター支持部材の平面図である。
【図６】図６（ａ）はジェネレータの上面図、図６（ｂ）はジェネレータの正面図、図６（ｃ）はジェネレータの側面図である。
【図７】従来の携帯用ガスコンロの正面図である。
【符号の説明】
１０  携帯用ガスコンロ
１１  ガスカートリッジ
１２  ガス燃焼器１２
１３  ガスケット
１４  器具栓
１５  ガス流量調整スピンドル
１６  バーナーヘッド
１７  混合管
１８  五徳
１９  電気式イグナイター
２０  ガスカートリッジ
２１  ガスコンロ本体
２２  器具栓
２３  ガスチューブ
２４  ジョイントブロック
２５  バーナーヘッド
２６  混合管
２７  五徳
２８  イグナイター
２９  イグナイターカバー
３０  イグナイター支持部材
３１  ジェネレータ
【図１】
0003550036.tif 000002
【図２】
0003550036.tif 000003
【図３】
0003550036.tif 000004
【図４】
0003550036.tif 000005
【図５】
0003550036.tif 000006
【図６】
0003550036.tif 000007
【図７】
0003550036.tif 000008